(57)【要約】      （修正有）【課題】複数の空気調和機本体と複数の無線リモコンとが、其々のペアリング設定により双方向通信が可能な空気調和機であって、運転操作を行うリモコンへ一律に運転操作の対象となる空気調和機本体の運転情報と、その運転情報の受信時刻を表示すると紛らわしい場合がある。【解決手段】空気調和機本体１０は、無線リモコン２０とのペアリング設定が行われた時、空気調和機本体にペアリングされた無線リモコンのペアリング設定状況を記憶する。また、空気調和機本体は運転情報のデータと共にペアリング設定状況のデータを無線リモコンへ送信する。そして無線リモコンの運転情報表示手段２５は、ペアリング設定状況のデータに基づいてペアリング台数が１台の場合に、表示する運転情報に運転情報の受信時刻を表示しない。【選択図】図１
2015068558.tif 000002
【特許請求の範囲】
【請求項１】
空気調和機本体と、前記空気調和機本体と電波を使用した双方向通信を行うリモコンと、前記空気調和機本体に、複数の前記リモコンとのペアリング設定が可能なペアリング設定手段と、前記リモコンが、前記空気調和機本体から送信された運転情報データを受信する度に、運転情報と、その運転情報の受信時刻とを表示することができる運転情報表示手段とを備えた空気調和機であって、前記空気調和機本体は、前記ペアリング設定手段がペアリング設定した前記リモコンが１台であるか否かを示すペアリング設定状況データを記憶し、運転情報データを前記リモコンに送信する時、記憶したペアリング設定状況データを運転情報データと共に送信し、前記リモコンの前記運転情報表示手段は、受信した前記ペアリング設定状況データに基づいて、前記リモコン台数が１台であると判定した場合に前記運転情報の受信時刻を表示しないことを特徴とする空気調和機。
【発明の詳細な説明】
【技術分野】
【０００１】
本発明は、空気調和機本体とその空気調和機本体を運転操作するリモートコントローラとの間で電波を使用して双方向通信を行う空気調和機に関する。
【背景技術】
【０００２】
近年、空気調和機本体とその本体に付属のリモートコントローラ（以下、リモコンという）とを一対で使用する以外にも、図６に示すように部屋ＲＡ，ＲＢ，ＲＣにそれぞれ設置される複数の空気調和機本体１０Ａ，１０Ｂ，１０Ｃに対し電波を使用した双方向通信で複数のリモコン２０Ａ，２０Ｂ，２０Ｃから運転操作ができる空気調和機がある。なお、図６は各空気調和機本体と各リモコンとのペアリング設定が行われた後それぞれが通信可能となった状態を矢印で示しており、例えばリモコン２０Ａは操作対象の空気調和機本体１０Ａ，１０Ｂのいずれかを選択して運転操作することができ、空気調和機本体１０Ｂはリモコン２０Ａ，２０Ｂ，２０Ｃからの運転操作を受付けることができる。
【０００３】
この空気調和機では、空気調和機本体が設置される部屋のリモコン（メインリモコン）以外の、他の部屋にあるリモコン（サブリモコン）を用いても空気調和機本体の運転操作を行うことが出来ることから、メインリモコンに表示されている運転モードや設定温度などの運転情報と、空気調和機本体の実際の運転状態とが異なることがある。そこで、無線リモコンの送受信ユニットを空気調和機本体からの送信に対して常に受信待ちにしてリモコン表示と空気調和機本体の運転状態とを同期するようにすると、電池を消耗して使用時間が短くなる。
【０００４】
そのため、リモコンが操作された時だけ、空気調和機本体からリモコンに対して運転情報のデータを送信するようにしている。この運転情報のデータを受信したリモコンでは運転情報に加えてその運転情報の受信時刻、即ち更新時刻を表示して、利用者がリモコンに表示される現在時刻と更新時刻の時間差から、リモコンに表示されている運転情報の信憑性を推測できるようにした空気調和機が提案されている。（例えば、特許文献１参照）。
【先行技術文献】
【特許文献】
【０００５】
【特許文献１】特開２００２−８１７２７号公報（第３頁、図４）
【発明の概要】
【発明が解決しようとする課題】
【０００６】
特許文献１に示された技術によれば、例えば図６の空気調和機１０Ａに対して運転操作するリモコンが２０Ａ，２０Ｂと複数ある場合でも、リモコンに表示された更新時刻から運転情報の信憑性を推測することができる。しかし、図６の空気調和機本体１０Ｃのように、リモコン２０Ｃの１台で運転操作される場合は、他のリモコン２０Ａ，２０Ｂによって運転操作される事がない、つまり空気調和機本体１０Ｃの運転情報はリモコン２０Ｃ以外からは変更されない。そのためリモコン２０Ｃに更新時刻を表示する必要がない。にもかかわらずリモコン２０Ｃに更新時刻を表示していると、利用者が現在時刻と混同するなどして紛らわしいという問題があった。
【０００７】
本発明は以上述べた問題点を解決し、複数のリモコンで空気調和機本体の運転操作が可能な空気調和機であって、空気調和機本体を運転操作することができるリモコンの台数に応じて、運転情報の更新時刻を非表示とするか否かを自動的に選択できる空気調和機を提供することを目的とする。
【課題を解決するための手段】
【０００８】
本発明は上述の課題を解決するため、本発明の請求項１に記載の発明は、空気調和機本体と、前記空気調和機本体と電波を使用した双方向通信を行うリモコンと、前記空気調和機本体に、複数の前記リモコンとのペアリング設定が可能なペアリング設定手段と、前記リモコンが、前記空気調和機本体から送信された運転情報データを受信する度に、運転情報と、その運転情報の受信時刻とを表示することができる運転情報表示手段とを備えた空気調和機であって、前記空気調和機本体は、前記ペアリング設定手段がペアリング設定した前記リモコンが１台であるか否かを示すペアリング設定状況データを記憶し、運転情報データを前記リモコンに送信する時、記憶したペアリング設定状況データを運転情報データと共に送信し、前記リモコンの前記運転情報表示手段は、受信した前記ペアリング設定状況データに基づいて、前記リモコン台数が１台であると判定した場合に前記運転情報の受信時刻を表示しないことを特徴とする。
【発明の効果】
【０００９】
以上の手段を用いることにより、本発明による空気調和機によれば、リモコンに表示する運転情報の受信時刻が不要な場合には表示しないことで、利用者の紛らわしさを解消し、利便性を高めることができる。
【図面の簡単な説明】
【００１０】
【図１】本発明による空気調和機の概略構成を示すブロック図である。
【図２】本発明による本体制御部のペアリング設定に係る処理を説明するフローチャートである。
【図３】本発明によるリモコン制御部のペアリング設定に係る処理を説明するフローチャートである。
【図４】本発明による本体制御部の運転情報に係る処理を説明するフローチャートである。
【図５】本発明によるリモコン制御部の運転情報に係る処理を説明するフローチャートである。
【図６】複数の空気調和機本体と複数の無線リモコンとの対応関係を示した図である。
【発明を実施するための形態】
【００１１】
以下、本発明の実施の形態を、添付図面に基づいた実施例として詳細に説明する。なお、本発明は以下の実施形態に限定されることなく、本発明の主旨を逸脱しない範囲で種々変形することが可能である。
【００１２】
図１は、本発明による空気調和機の概略構成を示すプロック図である。図１において空気調和機１は、空気調和機本体１０と、電波を使用して空気調和機本体１０と双方向通信が可能な無線リモコン２０とで構成されている。
【００１３】
空気調和機本体１０は、空気調和機本体１０と無線リモコン２０との双方向通信を行うためにペアリングの設定を行うペアリング設定手段１１と、空気調和機本体１０の状態を利用者へ通知するためのＬＥＤなどの本体表示部１２と、無線モジュールを用いて無線リモコン２０との双方向通信を行う本体通信部１３と、利用者の操作を受付けるボタンなどの本体操作部１４と、空気調和機１が各種運転に使用するパラメータや制御スケジュールなどを記憶する本体記憶部１５と、時刻や時間を計時する本体計時部１７と、これらを制御する本体制御部１６とを備えている。
【００１４】
無線リモコン２０は、利用者へ操作ガイドや空気調和機本体１０の運転情報などを通知するリモコン表示部２１と、時刻や時間を計時するリモコン計時部２２と、無線モジュールを用いて空気調和機本体１０との双方向通信を行うリモコン通信部２３と、利用者からの操作を受付けるキー入力部２４と、空気調和機本体１０の運転情報をリモコン表示部２１へ表示させる運転情報表示手段２５と、これらを制御するリモコン制御部２６とを備えている。
【００１５】
なお、本体制御部１６はペアリング設定手段１１においてペアリングする無線リモコン２０の登録や、ペアリングされていた無線リモコン２０の削除が行われた時に、ペアリング設定された無線リモコン２０が１台であるか否かを示すペアリング設定状況データを本体記憶部１５に記憶する。
【００１６】
また、本体制御部１６は空気調和機１の運転情報データを無線リモコン２０へ送信する時、運転情報データと共に本体記憶部１５のペアリング設定状況データを、本体通信部１３を介して送信する。
【００１７】
また、複数の空気調和機１０にペアリング設定された無線リモコン２０は、キー入力部２４を介して利用者から運転操作する対象の空気調和機１０の切替え操作を受付けることができる。そして、この切替え操作によって選択された空気調和機本体１０からリモコン通信部２３を介して運転情報データを受信した時、運転情報表示手段２５は運転情報データに含まれるペアリング設定状況データに基づいて、リモコン表示部２１に運転情報の受信時刻を表示するか否かを選択する。
【００１８】
本発明による空気調和機１はこのような構成によって、ペアリング設定状況データのペアリング設定された無線リモコン２０が１台である場合、つまり図６に示す空気調和機本体１０Ｃのように、ペアリング設定された無線リモコンが２０Ｃの１台であり、他の無線リモコン（２０Ａ、２０Ｂ）からの運転操作ができない場合、運転情報の受信時刻を表示しない。
【００１９】
また、ペアリング設定状況データのペアリング設定された無線リモコン２０が複数台である場合、つまり図６に示す無線リモコン２０Ｂにペアリングされている空気調和機本体１０Ｂが、他の無線リモコン（２０Ａ、２０Ｃ）によって運転操作される可能性がある場合、運転情報の受信時刻を表示する。
【００２０】
図２は、本発明による本体制御部１６のペアリング設定に係る処理を説明するフローチャートである。なお、処理が開始される前提条件として、本体操作部１４から、例えばペアリング設定のボタンを長押しするなどの操作を受付け、空気調和機本体１０がペアリング設定のスタンバイ状態になっているものとする。また、図２〜図５のフローチャートに記載のＳＴはステップを表し、これに続く数字はステップ番号を表している。
【００２１】
本体制御部１６は、ペアリング設定のスタンバイ状態になると、本体計時部１７にスタンバイ状態の経過時間の計時を開始させる（ＳＴ１）。無線リモコン２０から本体通信部１３を介して、例えば無線リモコン２０固有の識別番号などのペアリングデータを受信したか否かを確認する（ＳＴ２）。ペアリングデータを受信した場合（ＳＴ２−Ｙｅｓ）、ペアリング設定手段にペアリングデータを送信した無線リモコン２０を運転操作を受付ける対象としてペアリング設定し通信を可能とさせる。また、ペアリング設定状況データを本体記憶部１５へ記憶、本体表示部１２にペアリングの完了を表示、本体通信部１３を介してペアリング完了の通知を無線リモコン２０へ送信する（ＳＴ３）。そしてペアリング設定に係る処理を終了する。
【００２２】
本体制御部１６はＳＴ２において、無線リモコン２０からペアリングデータを受信していない場合（ＳＴ２−Ｎｏ）、本体計時部１７に計時させていた時間が所定の時間を経過したか否かを確認する（ＳＴ４）。所定の時間が経過した場合（ＳＴ４−Ｙｅｓ）、本体表示部１２にペアリングの失敗を表示し、本体通信部１３を介してペアリング失敗の通知を無線リモコン２０へ送信する（ＳＴ５）。そしてペアリング設定に係る処理を終了する。なお、ＳＴ４において、所定の時間を経過していない場合（ＳＴ４−Ｎｏ）、ＳＴ２へ戻って無線リモコン２０からのペアリングデータを受信待ちする。
【００２３】
図３は、本発明によるリモコン制御部２６のペアリング設定に係る処理を説明するフローチャートである。なお、処理が開始される前提条件として、キー入力部２４から、例えばペアリング設定のキーが選択されるなどの、ペアリング開始操作を受付けたものとする。
【００２４】
リモコン制御部２６は、ペアリング開始操作を受付けるとリモコン通信部２３を介して空気調和機本体１０へ、無線リモコン２０のペアリングデータを送信し、リモコン計時部２２にペアリングデータ送信後の経過時間の計時を開始させる（ＳＴ１１）。続いて、空気調和機本体１０からペアリング完了の通知を受信したか否かを確認する（ＳＴ１２）。ペアリング完了の通知を受信した場合（ＳＴ１２−Ｙｅｓ）、ペアリングした空気調和機本体１０を無線リモコン２０からの運転操作の対象として利用者からの操作で選択可能とし、ペアリングの完了をリモコン表示部２１へ表示する（ＳＴ１３）。そしてペアリング設定に係る処理を終了する。
【００２５】
リモコン制御部２６はＳＴ１２において、空気調和機本体１０からペアリング完了の通知を受信していない場合（ＳＴ１２−Ｎｏ）、リモコン計時部２２に計時させていた時間が所定の時間を経過したか否か、または、空気調和機本体１０からペアリング失敗の通知を受信したかを確認する（ＳＴ１４）。所定時間が経過した、又はペアリング失敗の通知を受信した場合（ＳＴ１４−Ｙｅｓ）、リモコン表示部２１へペアリングの失敗を表示する（ＳＴ１５）。そしてペアリング設定に係る処理を終了する。
【００２６】
リモコン制御部２６はＳＴ１４において、所定時間が経過した、または、ペアリング失敗の通知を受信した、のどちらでもない場合（ＳＴ１４−Ｎｏ）、ＳＴ１２へ戻って空気調和機本体１０からのペアリング完了の通知を受信待ちする。
【００２７】
図４は、本発明による本体制御部１６の運転情報に係る処理を説明するフローチャートである。なお、処理が開始される前提条件として、空気調和機１が運転中であるものとする。
【００２８】
本体制御部１６は、無線リモコン２０から運転情報の要求を受信したか否かを確認する（ＳＴ２１）。運転情報の要求を受信していない場合（ＳＴ２１−Ｎｏ）、無線リモコン２０から運転操作の命令を受信したか否かを確認する（ＳＴ２２）。運転操作の命令を受信していない場合（ＳＴ２２−Ｎｏ）、無線リモコン２０から運転停止の命令を受信したか否かを確認する（ＳＴ２３）。運転停止の命令を受信した場合（ＳＴ２３−Ｙｅｓ）、空気調和機１の運転を停止する（ＳＴ２４）。そして処理を終了する。
【００２９】
本体制御部１６はＳＴ２１において、無線リモコン２０から運転情報の要求を受信した場合（ＳＴ２１−Ｙｅｓ）、現在の運転情報データと共に、本体記憶部１５のペアリング設定状況データを、本体通信部１３を介して無線リモコン２０へ送信する（ＳＴ２５）。そしてＳＴ２１へ戻る。また、ＳＴ２２において、無線リモコン２０から運転操作の命令を受信した場合（ＳＴ２２−Ｙｅｓ）、運転操作の命令内容に応じて運転制御する（ＳＴ２６）。そしてＳＴ２１へ戻る。
【００３０】
図５は、本発明によるリモコン制御部２６の運転情報に係る処理を説明するフローチャートである。なお、処理が開始される前提条件として、無線リモコン２０から空気調和機１を運転操作したものとする。
【００３１】
リモコン制御部２６は、キー入力部２４からの操作を受付けたか否かを確認する（ＳＴ３１）。操作を受付けた場合（ＳＴ３１−Ｙｅｓ）、キー入力された操作が空気調和機本体１０の運転操作であるか否かを確認する（ＳＴ３２）。キー入力された操作が運転操作では無い場合（ＳＴ３２−Ｎｏ）、キー入力された操作が、これから運転操作しようとする対象の空気調和機本体１０の切替え操作であるか否かを確認する（ＳＴ３３）。空気調和機本体１０の切替え操作では無い場合（ＳＴ３３−Ｎｏ）、キー入力された操作が運転停止の操作であるか否かを確認する（ＳＴ３４）。運転停止の操作である場合（ＳＴ３４−Ｙｅｓ）、リモコン通信部２３を介して空気調和機本体１０へ運転停止の命令を送信する（ＳＴ３５）。そして処理を終了する。
【００３２】
リモコン制御部２６はＳＴ３１において、キー入力部２４からの操作を受付けていない場合（ＳＴ３１−Ｎｏ）と、ＳＴ３４において、キー入力された操作が運転停止の操作では無い場合（ＳＴ３４−Ｎｏ）には、ともにＳＴ３１へ戻る。
【００３３】
リモコン制御部２６はＳＴ３２において、キー入力された操作が空気調和機本体１０の運転操作である場合（ＳＴ３２−Ｙｅｓ）、空気調和機本体１０へその運転操作に応じた命令と、運転情報の要求とを、リモコン通信部２３を介して送信する（ＳＴ３６）。空気調和機本体１０から運転情報データを受信したか否かを確認する（ＳＴ３７）。運転情報のデータを受信した場合（ＳＴ３７−Ｙｅｓ）、運転情報のデータに含まれるペアリング設定状況データに基づいて、ペアリング台数が１台であるか否かを確認する（ＳＴ３８）。ペアリング台数が１台の場合（ＳＴ３８−Ｙｅｓ）、運転情報表示手段２５にリモコン表示部２１へ表示する空気調和機本体１０の運転情報に運転情報の受信時刻を表示させない（ＳＴ３９）。そしてＳＴ３１へ戻る。また、ペアリング台数が１台では無い場合（ＳＴ３８−Ｎｏ）、運転情報表示手段２５にリモコン表示部２１へ表示する空気調和機本体１０の運転情報に、リモコン計時部２２で計時した運転情報の受信時刻を表示させる（ＳＴ４０）。そしてＳＴ３１へ戻る。
【００３４】
リモコン制御部２６はＳＴ３３において、キー入力された操作が対象の空気調和機本体１０の切替え操作である場合（ＳＴ３３−Ｙｅｓ）、切替え後の運転操作の対象となる空気調和機本体１０へリモコン通信部２３を介して運転情報の要求を送信する（ＳＴ４１）。そして、ＳＴ３７へ移行する。また、ＳＴ３７において、空気調和機本体１０から運転情報のデータを受信していない場合（ＳＴ３７−Ｎｏ）、ＳＴ３７へ戻って空気調和機本体１０からの運転情報データを受信待ちする。
【００３５】
本発明による空気調和機１は図２〜図５で説明した処理を行うことにより、１台の無線リモコンを用いて、１台の無線リモコンとペアリング設定された空気調和機本体と、複数の無線リモコンとペアリング設定された空気調和機本体とを切替えて運転操作する場合や、利用者の意図しない所でペアリング設定の追加や削除が行われた場合にも、操作対象となる空気調和機本体のペアリング台数に応じて、運転情報の受信時刻を表示するか否かを自動的に切替えることができるため、受信時刻の表示が必要ない場合にもかかわらず表示することによる利用者の紛らわしさを解消し、利便性を高めることができる。
【符号の説明】
【００３６】
１  空気調和機
１０  空気調和機本体（１０Ａ，１０Ｂ，１０Ｃ）
１１  ペアリング設定手段
１２  本体表示部
１３  本体通信部
１４  本体操作部
１５  本体記憶部
１６  本体制御部
１７  本体計時部
２０  無線リモコン（２０Ａ，２０Ｂ，２０Ｃ）
２１  リモコン表示部
２２  リモコン計時部
２３  リモコン通信部
２４  キー入力部
２５  運転情報表示手段
２６  リモコン制御部
【図１】
2015068558.tif 000003
【図２】
2015068558.tif 000004
【図３】
2015068558.tif 000005
【図４】
2015068558.tif 000006
【図５】
2015068558.tif 000007
【図６】
2015068558.tif 000008